(57)【要約】　　　（修正有）【課題】河川の流水を用水路やファームポンドに取り入れる際に、河川浮遊ゴミが流水と共に入り込むのを防止する。【解決手段】フロート１をステンレス鋼板を用い、断面形状が長方形の直方体に成形し、両側面部にガイドレール３に組み込むための凸部４を溶接により取り付ける。また、ステンレス鋼板製の遮蔽板２をフロート１の下部に溶接により取付ける。そして、フロート１と遮蔽板２からなる河川浮遊ゴミ流入防止ゲートをガイドレール３に組み込み、ガイドレール３をゲートＡの河川側に溶接により固定する。【選択図】　図２
0003098857.tif 000002
【実用新案登録請求の範囲】
【請求項１】
フロート（１）と遮蔽版（２）及びガイドレール（３）から構成される河川浮遊ゴミ流入防止ゲート装置。
【請求項２】
河川流水取水口に設置する、請求項１記載の河川浮遊ゴミ流入防止ゲート装置。
【請求項３】
フロート（１）の浮力により河川の水位変動に連動して上下方向に可動する機能を有する請求項１記載の河川浮遊ゴミ流入防止ゲート装置。
【考案の詳細な説明】
【０００１】
【考案の属する技術分野】
本考案は、河川の流水を用水路やファームポンドに取り入れる際に、取水口から流水と共に入り込む河川浮遊ゴミの流入防止装置に関するものである。
【０００２】
【従来の技術】
従来、この種の河川浮遊ゴミ流入防止装置としては、河川流水の取水口に設置するオイルフェンスや鋼製スクリーンであった。
【０００３】
【考案が解決しようとする課題】
用水路やファームポンドに河川から流入し堆積した河川浮遊ゴミは、人力若しくは機械式除塵機で取り除き、産業廃棄物として処理しており、維持管理のために人件費と機械運転経費及び産業廃棄物処理費が必要であるという問題点を有していた。
【０００４】
本考案は、従来の技術の有するこのような問題点に鑑みてなされたものであり、その目的とするところは、河川浮遊ゴミの用水路やファームポンドへの流入を防止するとともに、維持管理労力ならびに維持管理費を低減するゲート装置を提供しようとするものである。
【０００５】
【課題を解決するための手段】
上記目的を達成するために、本考案における河川浮遊ゴミ流入防止ゲート装置は、直方体に形成したステンレス製フロートとフロート前面下部に固定されたステンレス製遮蔽版からなるものである。
【０００６】
そして、サイフォン方式により取水しながら、河川浮遊ゴミを用水路やファームポンドに流入させることなく、河川下流に流下させる。
【０００７】
【考案の実施の形態】
考案の実施の形態について図面を参照して説明する。
図１〜図４において、フロート１はステンレス鋼板を用い、断面形状が長方形の直方体に成形されている。
【０００８】
また、フロート１の両側面部にはガイドレール３に組み込むための凸部４が溶接により取り付られている。
【０００９】
また、遮蔽板２はステンレス鋼板を用い、フロート１の下部に溶接により取り付けられている。
【００１０】
フロート１と遮蔽板２からなる河川浮遊ゴミ流入防止ゲートをガイドレール３に組み込み、ガイドレール３をゲートＡの河川側に溶接により固定する。
【考案の効果】
本考案は、上述のとおり構成されているので、次に記載する効果を奏する。
【００１１】
請求項１の河川浮遊ゴミ流入防止ゲート装置においては、河川浮遊ゴミは取水口から用水路やファームポンドに入り込まず、河川下流に流下する。
【００１２】
請求項２の河川浮遊ゴミ流入防止ゲート装置においては、既設のゲートに後付が可能である。
【００１３】
請求項３の河川浮遊ゴミ流入防止ゲート装置においては、ステンレス製フロートを鋼製ガイドレールに組み込むことにより、河川水位の変動に連動し上下方向に可動することができ、常にゴミが浮遊している水面付近に留まることができる。
【図面の簡単な説明】
【図１】ゲートＡに河川浮遊ゴミ流入防止ゲート装置を取り付けた状態を示す正面図である。
【図２】ゲートＡに河川浮遊ゴミ流入防止ゲート装置を取り付けた状態を示す断面図である。
【図３】フロート１に遮蔽板２と凸部４を取り付けた状態の側面図である。
【図４】フロート１に凸部４を取り付け、ガイドレール３に組み込んだ状態の平面図である。
【符号の説明】
Ａ　ゲート
１　フロート
２　遮蔽板
３　ガイドレール
４　凸部
【図１】
0003098857.tif 000003
【図２】
0003098857.tif 000004
【図３】
0003098857.tif 000005
【図４】
0003098857.tif 000006
【手続補正書】
【提出日】平成15年5月6日(2003.5.6)
【手続補正１】
【補正対象書類名】明細書
【補正対象項目名】全文
【補正方法】変更
【補正の内容】
【考案の詳細な説明】
【実用新案登録請求の範囲】
【請求項１】アルミニュウム板を断面形状が長方形の箱形に成形したフロート（１）と、アルミニュウム板製プレート（２）からなる扉体部と、ステンレス鋼板製のガイドレール部（３）から構成される河川浮遊ゴミ流入防止ゲート装置。
【請求項２】河川流水取水口のある水路側壁に設置する請求項１記載の河川浮遊ゴミ流入防止ゲート装置の扉体部は、ガイドレール部（３）に組み込まれており、フロート（１）が有する浮力によって、水面上に一部分を出し浮遊する。
【請求項３】請求項１記載の河川浮遊ゴミ流入防止ゲート装置の扉体部は、フロート（１）の浮力により、河川の水位変動に連動して上下方向に可動する機能を有する。
【考案の詳細な説明】
【０００１】
【考案の属する技術分野】
本考案は、河川の流水を用水路やファームポンドに取り入れる際に、河川を流下するゴミが、取水口から流水と共に入り込むことを防止する装置に関するものである。
【０００２】
【従来の技術】
従来、この種の河川浮遊ゴミ流入防止手段としては、河川流水の取水口に設置する鋼製スクリーンに河川浮遊ゴミを付着堆積させ、用水路やファームポンドへの流入を防いでいる。
【０００３】
【考案が解決しようとする課題】
鋼製スクリーンに付着した河川浮遊ゴミや、鋼製スクリーンの隙間から用水路やファームポンドに入り込み堆積した河川浮遊ゴミは、人力若しくは機械式除塵機で取り除き産業廃棄物処理しており、維持管理のために、人件費、機械運転経費及び産業廃棄物処理費が必要であるという問題点を有していた。
【０００４】
本考案は、従来の技術の有するこのような問題点に鑑みてなされたものであり、その目的とするところは、河川浮遊ゴミの用水路やファームポンドへの流入を防止するとともに、ゴミ処理に係る維持管理労力ならびに維持管理費を低減するゲート装置を提供しようとするものである。
【０００５】
【課題を解決するための手段】
上記目的を達成するために、本考案における河川浮遊ゴミ流入防止ゲート装置は、浮力を有するアルミニュウム板製フロートとフロート前面下部に固定されたアルミニュウム板製プレートから構成される扉体部とステンレス鋼板製のガイドレールから構成されるものである。
【０００６】
河川浮遊ゴミ流入防止ゲート装置の取り付け位置は、水路壁に取り付けてある既設スライドゲートの河川側である。
【０００７】
また、取り付け方法は、ガイドレール部を水路側壁にアンカーボルトで固定し、扉体部をガイドレールに填め込む。
【０００８】
そして、河川から取水する際に、河川浮遊ゴミについては扉体部で遮り、河川流水と共に流下させ、用水路やファームポンドへの河川浮遊ゴミ流入を防止する。
【０００９】
【考案の実施の形態】
考案の実施の形態について図面を参照して説明する。
図１〜図３において、フロート（１）はアルミニュウム板を用い、断面形状が長方形の箱型に成形されている。
【００１０】
また、アルミニュウム板製プレート（２）は、フロート（１）の河川側下部に溶接により取り付けられている。
【００１１】
フロート（１）とプレート（２）からなる扉体部は、ガイドレール部（３）に組み込まれている。
【００１２】
ガイドレール部（３）は水路側壁へアンカーボルトで固定されている。
【考案の効果】
本考案は、上述のとおり構成されているので、次に記載する効果を奏する。
【００１３】
請求項１の河川浮遊ゴミ流入防止ゲート装置においては、河川浮遊ゴミは扉体部に妨げられ取水口から用水路やファームポンドに入り込まず、河川流水と共に流下する。
【００１４】
請求項２の河川浮遊ゴミ流入防止ゲート装置においては、既設の取水ゲートに後付が可能である。
【００１５】
請求項３の河川浮遊ゴミ流入防止ゲート装置における、浮力を有する扉体部は、ガイドレール（２）に組み込むことにより、河川水位の変動に連動し上下方向に可動し、常にゴミが浮遊している水面付近に留まることができる。
【図面の簡単な説明】
【図１】河川浮遊ゴミ流入防止ゲート装置を河川流水取水口のある水路側壁に取り付けた状態を示す平面図である。
【図２】河川浮遊ゴミ流入防止ゲート装置を河川流水取水口のある水路側壁に取り付けた状態を示す正面図である。
【図３】河川浮遊ゴミ流入防止ゲート装置を河川流水取水口のある水路側壁に取り付けた状態を示す側面図である。
【符号の説明】
Ａ　既設スライドゲート
１　フロート
２　プレート
３　ガイドレール部
【手続補正２】
【補正対象書類名】図面
【補正対象項目名】全図
【補正方法】変更
【補正の内容】
【図１】
0003098857.tif 000007
【図２】
0003098857.tif 000008
【図３】
0003098857.tif 000009
【手続補正書】
【提出日】平成15年7月30日(2003.7.30)
【手続補正１】
【補正対象書類名】明細書
【補正対象項目名】実用新案登録請求の範囲
【補正方法】変更
【補正の内容】
【実用新案登録請求の範囲】
【請求項１】
アルミニュウム板を断面形状が長方形の箱形に成形したフロート（１）及びアルミニュウム板製プレート（２）からなる扉体部と、ステンレス鋼板製のガイドレール部（３）から構成される河川浮遊ゴミ流入防止ゲート装置。
【請求項２】
ガイドレール部（３）に組み込まれている扉体部が、フロート（１）の有する浮力によって、水面上に一部分を出し浮遊することを特徴とする請求項１記載の河川浮遊ゴミ流入防止ゲート装置。
【請求項３】
ガイドレール部（３）に組み込まれている扉体部が、フロート（１）の浮力により、河川の水位変動に連動して上下方向に可動する機能を有することを特徴とする請求項１記載の河川浮遊ゴミ流入防止ゲート装置。